(57)【特許請求の範囲】
【請求項１】
押圧操作を、押圧操作方向に対して大略的に垂直な操作面内で、一端側と他端側とに分けて行うためのボタンと、該ボタンを、該一端側を押圧するときには該他端側寄りの位置が支点となって該一端側が押下げられ、該他端側を押圧するときには該一端側寄りの位置が支点となって該他端側寄りが押下げられるように、弾性的に支持する支持部材とを含み、
前記支持部材は、前記一端側から前記他端側に連なる側面の両側で、中間部を基端として外方に延びる連結部と、各連結部の先端から該一端側に延びる一端側延長部と、該先端から該他端側に延びる他端側延長部と、該一端側延長部および該他端側延長部の途中にそれぞれ設けられ、該操作面に垂直な方向に屈曲する屈曲部とをそれぞれ有する一対のばね部材を含むことを特徴とするシーソー操作用ボタン。
【請求項２】
前記ボタンは、前記一端側と前記他端側との中間に、前記押圧時の押下げ量を制限する突起を有し、該制限は、該押下げ量が、該一端側または該他端側で押圧操作を行うときに、該押圧操作で必要となる押下げ量より小さく、かつ該押圧操作が行われない側を支点として該ボタンが傾斜するときの該突起の位置での変位量より大きくなるように設定されることを特徴とする請求項１記載のシーソー操作用ボタン。
【請求項３】
前記ボタンおよび前記支持部材は、一体成型品であることを特徴とする請求項１または２に記載のシーソー操作用ボタン。
【発明の詳細な説明】
【０００１】
【発明の属する技術分野】
本発明は、各種電子機器の操作パネルなどに備えられ、一対の関連する操作などを行うためのシーソー操作用ボタンに関する。
【０００２】
【従来の技術】
従来から、電子機器の操作パネルには、関連する一対の操作を行うためのシーソー操作用ボタンが、デザイン、操作性、あるいはコストその他の理由によって採用される場合がある。カーオーディオ等の前面パネルやリモコン操作用スイッチの操作パネルなどでは、パネルの大きさに制限があるので、パネルに必要なスペースを節約するためにも、シーソー操作用ボタンが採用される。
【０００３】
図１２は、従来からの典型的なシーソーボタン１の概要を示す。図１２（ａ）に示すように、シーソーボタン１は押圧操作部２ａ，２ｂを両側に設ける中央部に回転支点３を有する。シーソーボタン１の下部は、シーソーボタン１の周囲から電子機器の内部が見えないように、フランジ４を設けて遮蔽する。図１２（ｂ）に示すように、押圧操作部２ａ，２ｂの一方、たとえば押圧操作部２ａを押圧して押下げると、回転支点３を中心として、押圧された押圧操作部２ａ側の押圧作動部５ａが押下げられ、他方側の押圧操作部２ｂが手前に飛び出す。
【０００４】
図１３は、電子機器の操作のために、シーソーボタン１とともに用いる押ボタン５の概要を示す。押ボタン５も、周囲から電子機器内部を遮蔽するためのフランジ７を有する。図１３（ａ）に示すように、押ボタン６は、操作を行わないときに図示を省略するばねによって、前面パネル８にフランジ７が押圧される状態で保持される。図１３（ｂ）に示すように、押ボタン６を押圧する操作を行うと、フランジ７が前面パネル８から離れて、押ボタン６は全体的に押下げられる。たとえば、カーオーディオ装置は、内部のメカニズムが複雑化し、大型化する一方で、前面パネルの表面は、ＥＣなどで実施されている内突規制等のような安全上の制約や、車両のインパネとのデザイン上のマッチングの関係などで、手前側に大きく突出させることはできないことが多い。
【０００５】
図１４は、カーオーディオ装置などの前面パネル９に、図１２に示すシーソーボタン１を取付けた状態を概略的に示す。図１４（ａ）に示すように、回転支点３の位置を前面パネル９からかなり内側に離して、逃げの距離ｄを確保しておかないと、図１４（ｂ）に示すように、たとえば押圧操作部２ｂを押圧すると、押圧操作部２ａが前面パネル９の表面から大きく飛び出して、内突規制などに触れてしまうおそれがある。
【０００６】
シーソー操作用ボタンについての先行技術として、たとえば実開昭６２−１５２３２９に開示されているシーソースイッチもある。この先行技術の概要を、その第１図および第２２図に基づいて図１５（ａ），（ｂ）で示す。プリント基板１１から間隔をあけて操作パネルのエスカッション１２が配置され、エスカッション１２に設けられる窓孔１３に押ボタン１４の頭部の操作部１５が挿入されている。押ボタン１４の操作部１５の周囲１２は、支点部１６が設けられる。押ボタン１４の操作部５の裏面側には、両端寄りの位置に押圧突条１７が設けられ、中央部に誤動作防止用突条１８が設けられている。
【０００７】
図１５（ａ）に示すように、操作部１５に対して押圧操作を行わないときには、プリント基板１１に設けられるラバー接点スイッチ１９が押圧突条１７を押上げ、支点部１６がエスカッション１２の裏面側に圧接させられている。押ボタン１４の操作部１５を押圧して、押ボタン１４を傾斜させると、押圧位置の支点部１６がエスカッション１２の裏面側との圧接状態を保ち、押圧部分の支点部１６はエスカッション１２の裏面側から離れて押圧突条１７がラバー接点スイッチ１９を押圧し、ラバー接点スイッチ１９が作動する。誤動作防止突条１８は、両側の支点部１６がエスカッション１２の裏面側から離れて、両側のラバー接点スイッチ１９が同時に作動しないように設けられている。
【０００８】
【発明が解決しようとする課題】
図１２に示すようなシーソーボタン１では、図１４（ｂ）に示すように、回転支点３を前面パネル９付近に設けると、押圧操作を行う押圧操作部２ａ，２ｂの反対側が前面パネル９の表面から大きく突出してしまうので、図１４（ａ）に示すように、回転支点３の位置を前面パネル９から内側に離し、大きな逃げｄを設ける必要がある。このため、意匠面である前面パネル９とメカデッキなどの装置内部との間で、シーソーボタン１の周辺にできるだけ多くのスペースを確保しておいて、シーソーボタン１の動きを逃げる必要があり、このことが限られた大きさの範囲内に高度な機構を有する電子機器を実装するような場合に、ネックとなっている。
【０００９】
支点部１６の位置を押ボタン１４の中央部ではなく、押ボタン１４の外側に設ける図１５に示すような先行技術では、フリーな状態の押ボタン１４をラバー接点スイッチ１９で支えなければならない。押ボタン１４は、プリント基板１１およびエスカッション１２の双方から分離しており、正しい位置に位置決めして組立てを行う必要がある。また、支点部１６をエスカッション１２の裏面側に圧接する押圧力は、ラバー接点スイッチ１９が発生しているので、一般にはかなり小さな圧接力しか発生させることができない。このため、押ボタン１４を押したときの抵抗が小さく、適度な剛性感がなく、操作感が悪くなってしまう。
【００１０】
本発明の目的は、シーソー操作に対するスペースの制約範囲をできるだけ小さくし、デザイン上の自由度を大きくすることができるとともに、操作感が良好なシーソー操作用ボタンを提供することである。
【００１１】
【課題を解決するための手段】
本発明は、押圧操作を、押圧操作方向に対して大略的に垂直な操作面内で、一端側と他端側とに分けて行うためのボタンと、該ボタンを、該一端側を押圧するときには該他端側寄りの位置が支点となって該一端側が押下げられ、該他端側を押圧するときには該一端側寄りの位置が支点となって該他端側寄りが押下げられるように、弾性的に支持する支持部材とを含み、
前記支持部材は、前記一端側から前記他端側に連なる側面の両側で、中間部を基端として外方に延びる連結部と、各連結部の先端から該一端側に延びる一端側延長部と、該先端から該他端側に延びる他端側延長部と、該一端側延長部および該他端側延長部の途中にそれぞれ設けられ、該操作面に垂直な方向に屈曲する屈曲部とをそれぞれ有する一対のばね部材を含むことを特徴とするシーソー操作用ボタンである。
【００１２】
本発明に従えば、ボタンに対しては、押圧操作が押圧操作方向に対して大略的に垂直な操作面内で、一端側と他端側とに分けて行われる。ボタンの一端側を押圧するときには、他端側寄りの位置が支点となって一端側が押下げられ、他端側を押圧するときには一端側寄りの位置が支点となって他端側が押下げられるように、支持部材によって弾性的に支持されるので、押圧が行われない端部側が支点寄りとなり、押圧に伴う押下げ変位が行われても、支点よりも反対側での突出量を減少させることができる。したがって、ボタンを押圧した側のみを押下げることができるスペースをボタンの周辺に確保しておけばよく、ボタンの動きによるスペースの制約範囲を可能な限り小さくして、デザインの自由度や装置内部の有効な空間利用を行うことができる。また、弾性的な支持で、操作感も良好にすることができる。
【００１６】
また、支持部材は、ボタンの一端側から他端側に連なる側面の両側で対を成してボタンを支持する。各支持部材は、一端側から他端側の中間で連結部で支持され、連結部は一端側延長部および他端側延長部にそれぞれ連なる。ボタンの一端側を押圧すると、各支持部材の他端側延長部の屈曲部が屈曲し、当該屈曲部よりも一端側の部分が押下げられ、屈曲部よりも他端側の部分の変位量は小さくなるので、押圧位置の反対側での突出量を小さくすることができる。ボタンの他端側を押圧するときも同様に、一端側での突出量を小さくすることができる。
【００１７】
また本発明で前記ボタンは、前記一端側と前記他端側との中間に、前記押圧時の押下げ量を制限する突起を有し、
該制限は、該押下げ量が、該一端側または該他端側で押圧操作を行うときに、該押圧操作で必要となる押下げ量より小さく、かつ該押圧操作が行われない側を支点として該ボタンが傾斜するときの該突起の位置での変位量より大きくなるように設定されることを特徴とする。
【００１８】
本発明に従えば、ボタンの一端側と他端側との中間には、押圧時の押下げ量を制限する突起を有する。突起による制限は、一端側または他端側で押圧操作を行うときに押圧操作で必要となる押下げ量よりは小さいので、必要な押下げ量を確保することができる。押下げ側の反対側を支点としてボタンの全体が傾斜して、押下げ側が押下げられるときに、突起の位置での変位量よりも制限される突起の変位量の方が大きいので、押圧内側で確実に押下げ量を確保し、押下げ操作を行うことができる。突起部での押下げ量の制限は、一端側または他端側の押圧時の単独の押下げ量よりは大きいので、一端側または他端側で同時に必要な押下げ量を得る押圧を行うことはできず、一方側のみに押圧を制限することができる。
【００１９】
また本発明で前記ボタンおよび前記支持部材は、一体成型品であることを特徴とする。
【００２０】
本発明に従えば、支持部材や突起を含むシーソー操作用押ボタンは効率よく製造され、組立工数などを削減することもできる。
【００２１】
【発明の実施の形態】
図１は、本発明の実施の第１形態としてのシーソー操作用ボタン２０の概略的な構成を示す。シーソー操作用ボタン２０は、押圧操作を行うために大略的に矩形板状のボタン２１を備える。ボタン２１の表面は操作面として、ボタン２１の一端側の押圧操作部２２ａと他端側の押圧操作部２２ｂとを有する。ボタン２１の側方には、支持部材２３ａ，２３ｂがそれぞれ配置される。ボタン２１の裏面側の周囲は、フランジ２４を形成して、表面の操作面側よりは面積が大きくなっている。ボタン２１の裏面側で、押圧操作部２２ａ，２２ｂにそれぞれ対応する位置は、押下げ作動部２５ａ，２５ｂとなり、タクトスイッチやラバー接点スイッチなどの頂部に当接して押下げ作動を行う。
【００２２】
各支持部材２３ａ，２３ｂは、連結部２７の先端でフランジ２４の周縁に連結され、ボタン２１から離れる外方に延びる。連結部２７の延長長さは比較的短く、その先端は連結部２７が接合されているボタン２１の端部と反対側の端部側に延びる延長部２８となる。延長部２８の先端は、さらにボタン２１の側面から遠去かる方向に延びる屈曲部２９となる。連結部２７、延長部２８および屈曲部２９は、弾性変形可能な板ばねとして機能する。これによって、フリーな状態での頼りない操作感ではなく、反力による手ごたえを伴う良好な操作感を得ることができる。
【００２３】
図２は、図１に示すシーソー操作用ボタン２０を、連結部材２６ａ，２６ｂを介して複数個隣接されて取付けられている状態を部分的に示す。各ボタン２１は、支持部材２３ａ，２３ｂによってそれぞれ連結部材２６ａ，２６ｂに連結され、まとめて取扱うことができる。連結部材２６ａ，２６ｂは、直線状である必要はなく、ボタン２１の配列に応じて、必要であれば曲線状に形成することもできる。ボタン２１の両側に接続される支持部材２３ａ，２３ｂは、大略的にボタン２１の中心に対して点対象となるように形成すれば、いずれの押圧操作部２２ａ，２２ｂを押圧しても、同様なボタン操作のフィーリングを得ることができる。
【００２４】
図３は、図１のシーソー操作用ボタン２０に対する押圧操作時の動きを示す。ボタン２１の一方側の押圧操作部２２ａを押圧すると、押圧操作部２２ａに近い位置で連結部２７がフランジ２４に連結している支持部材２３ａの屈曲部２９と、押圧操作部２２ａの反対側の押圧操作部２２ｂに近い位置で連結部２７がフランジ２４に連結している支持部材２３ｂの連結部２７との付近が支点となって、ボタン２１の押下げ作動部２５ａが押下げられる。反対側の押圧操作部２２ｂは、押下げ操作の支点に近いので、表面側にほとんど飛び出すことはない。図３（ｂ）は、ボタン２１に対して押圧操作部２２ｂ側を押圧するときの動きを示す。支持部材２３ａの連結部２７と支持部材２３ｂの屈曲部２９との付近が支点となり、押圧操作部２２ｂ側のみが押下げられる。すなわち、ボタン２１の一方の押下げ操作部２２ａ，２２ｂを押圧しても、他方側の押圧操作部２２ａ，２２ｂが手前に飛び出すような動きをすることがなく、ボタン２１の動きがすべて押圧方向となるシーソー操作用ボタン２０を得ることができる。
【００２５】
図４は、本発明の実施の第２形態としてのシーソー操作用ボタン３０の概略的な構成を示す。本実施形態のシーソー操作用ボタン３０は、基本的に図１に示すシーソー操作用ボタン２０と同等である。図４（ａ）は部分的な平面配置状態を示し、図４（ｂ）は正面側から見た状態を示す。シーソー操作用ボタン３０のボタン３１は、一端側の押圧操作部３２ａと他端側の押圧操作部３２ｂとを有し、各押圧操作部３２ａ，３２ｂ付近で支持部材３３ａ，３３ｂによってそれぞれ支持される。支持部材３３ａ，３３ｂは、ボタン３１の操作面側の反対側の表面から外方に向かって広がるフランジ３４の周縁に接合される。ボタン３１の裏面側は押下げ作動部３５ａ，３５ｂとして機能する。ボタン３１の側面の一方側にのみ連結部材３６が設けられ、支持部材３３ａ，３３ｂの形状は、連結部３７、延長部３８および屈曲部３９までは基本的にボタン３１の中心に対して点対称の形状を有するけれども、屈曲部３９の先端から連結部材３６までの形状は支持部材３３ａ，３３ｂで異なる。本実施形態のシーソー操作用ボタン３０は、連結部材３６を介して他の押ボタン４０などと連結した状態で取扱われる。押ボタン４０は、ボタン４１の一方側を押圧操作部４２とし、他方側が支持部材４３で連結部材３６に連結される。ボタン４１の周囲にも、遮蔽用のフランジ４４が設けられる。ボタン４１の押圧操作部４２の裏面側は押下げ作動部４５を形成する。
【００２６】
図５は、本発明の実施の第３形態としてのシーソー操作用ボタン５０の概略的な形状を示す。本実施形態のボタン５１は、基本的に図１の実施形態のボタン２１や図４の実施形態のボタン３１と同等である。ボタン５１は、大略的に矩形の板状形状を有し、その表面が操作面となる。ボタン５１の対向する端部が押圧操作部５２ａ，５２ｂとなり、押圧操作部５２ａ，５２ｂ間のほぼ中央の位置の側方に支持部材５３ａ，５３ｂが接続される。支持部材５３ａ，５３ｂの接続はボタン５１の操作面から離れる裏面側の周囲に設けられるフランジ５４に対して行われ、支持部材５３ａ，５３ｂは、ボタン５１の４つの隅部付近で固定部材５６によって固定される。支持部材５３ａ，５３ｂのうち、フランジ２４に連結される部分は、フランジ５４の連結部から外方に延びる連結部５７を形成する。連結部５７は、比較的長さが短い状態で、固定部材５６間を結ぶように設けられる延長部５８の中間位置に接続される。連結部５７と延長部５８との接続部分から各固定部材５６に連なる延長部５８の途中には、屈曲部５９がそれぞれ設けられる。屈曲部は、ボタン５１の押圧操作部５２ａ，５２ｂの位置に相当する位置付近に形成され、押圧方向に屈曲する。
【００２７】
図６は、図５のシーソー操作用ボタン５０を平面視している状態を示す。本実施形態のシーソー操作用ボタン５０は、基本的に単独で使用される。本実施形態では、ボタン５１の側面の両側に配置される支持部材５３ａ，５３ｂが、ボタン５１の中心に対して点対称であるばかりではなく、押圧操作部５２ａ，５２ｂ間を結ぶ線や、これに垂直でボタン５１の中心を通る線などにそれぞれ線対称ともなっている。
【００２８】
図７は、図５に示すシーソー操作用ボタン５０の押圧時の動きの例を示す。図７（ａ）は、一方端の押圧部５２ａ側を押圧したときの動きを示す。図７（ｂ）は、他方端側の押圧操作部５２ｂを押圧操作したときの動きを示す。ボタン５１に対して押圧操作を行った側と反対側に近い屈曲部５９が押圧操作に応じて屈曲し、押圧操作が行われた端部側と反対側の端部付近が支点となって、押圧操作が行われた側の端部が押下げられ、ボタン５１の周辺にあまり大きなスペースを要することなく、シーソー操作を行わせることができる。
【００２９】
図８は、シーソー操作用ボタン５０として、ボタン５１と支持部材５２ａ，５２ｂとを一体的に合成樹脂で射出成型して製造するときの形状を示す。図８（ａ）は平面視した状態を示し、図８（ｂ）は正面視した状態を示す。本実施形態のシーソー操作用ボタン５０は、図１の実施形態のシーソー操作用ボタン２０と同様に点対称に配置される支持部材２３ａ，２３ｂで支持したり、図４の実施形態のシーソー操作用ボタン３０と同様に他の押ボタン４０などと連結部材３６を介して連結して形成したり、図５の実施形態のシーソー操作用ボタン５０と同様に、単独で形成したりする場合のいずれにも適用することができる。また各実施形態のシーソー操作用ボタン２０，３０，５０，６０は、たとえば射出成型で、アクリル樹脂やＡＢＳ樹脂などの熱可塑性合成樹脂を材料として、一体的に成型することができる。
【００３０】
図９は、本発明の実施の第４形態としてのシーソー操作用ボタン６０の概略的な構成を示す。本実施形態では、ボタン６１およびその押圧操作部６２ａ，６２ｂについては、図１のボタン２１、図４のボタン３１および図５のボタン５１などのいずれかと基本的に同等である。ボタン６１の周囲にはフランジ６４が設けられ、ボタン２１と支持部材との接合を仲介するとともに、シーソー操作用ボタン６０をパネルなどに取付けたときの遮蔽用としても機能する。
【００３１】
ボタン６１の裏面側には、フランジ６４の両端に押圧突条６７ａ，６７ｂがそれぞれ形成される。また、押圧突条６７ａ，６７ｂの中央部分には、誤動作防止用突条６８が形成される。押圧操作部６２ａ，６２ｂへの押圧操作に応じて、スイッチ６９ａ，６９ｂに対する押下げ動作が行われる。スイッチ６９ａ，６９ｂは、プリント配線パータンなどが形成されている基板７１の表面に実装される。本実施形態のシーソー操作用ボタン６０は、基板７１と前面パネル７２との間に保持され、ボタン６１の押圧操作部６２ａ，６２ｂが前面パネル７２に設けられる窓孔７３を介して前面パネル７２の表面側に突出している。
【００３２】
誤動作防止用突条６８に関して、誤動作防止用突条６８からボタン６１の押圧操作部６２ｂを押圧するときの支点（フランジ６４の表面と前面パネル７２の裏面との接触部）までの距離をＡ、誤動作防止用突条６８から押圧操作部６２ｂ側で押圧突条６７ｂがスイッチ６９ｂを押下げる位置までの距離をＢとする。誤動作防止用突条６８の先端から基板７１の表面までの距離をＣとする。
【００３３】
図１０に示すように、押圧操作部６２ｂを押圧するときに、押圧突条６７ｂがスイッチ６９ｂを押下げてスイッチ６９ｂが作動するまでに必要なストロークをＤとすると、一方端側の押圧操作部６２ｂ側でスイッチ６９ｂが作動するためのストロークＤが押下げられると同時に、他方端側の押圧操作部６２ａを押下げて、スイッチ６９ａについても作動させるだけのストロークを与えて、誤動作を生じさせる可能性がある。したがって、Ｄ＞Ｃの関係が必要となる。
【００３４】
図１１は、一端側の押圧操作部６２ｂを押圧して、他端側の押圧操作部６２ａ付近のフランジ６４の表面と前面パネル７２の裏面との接触部が支点となって、ボタン６１の全体が傾斜するときに、スイッチ６９ｂの作動に必要なストロークＤが得られる条件を示す。スイッチ６９ｂに対してＤのストロークだけの押下げを行うと、誤動作防止突条６８の位置では、Ｄ×Ａ÷（Ａ＋Ｂ）の変位量となる。図９に示す誤動作防止突条６８の先端と基板７１との間の距離Ｃが、この変位量よりも小さいときには、スイッチ６９ｂに対する必要なストロークＤまで押下げが行われないうちに誤動作防止突条６８の先端が基板７１の表面に当接し、ボタン６１の傾斜を制限してしまう。したがって、次の第１式に示すような範囲で誤動作防止突条６８の先端と基板７１の表面との間の隙間Ｃを設定する必要がある。
【００３５】
【数１】
0004220040.tif 000002
【００３６】
第１式の条件が満たされれば、ボタン６１のどこを押してもスイッチ６９ａ，６９ｂの両方が同時に作動することはなく、一方のスイッチ６９ａ，６９ｂしか作動しないので、同時押しを防止することができる。
【００３７】
【発明の効果】
以上のように本発明によれば、支持部材でボタンを支持して、適切な操作感を保持しながら、ボタンの一端側または他端側への押圧時の押圧されない側の突出量を小さくして、シーソー操作に伴ってボタンの周辺に必要となるスペースを小さくし、デザイン上の自由度や機器内部のスペースの有効利用などを図ることができる。
【００３９】
また、ボタンの両側に支持部材をそれぞれ設け、ボタンの一端側と他端側との中間部に連なる連結部から一端側および他端側にそれぞれ延びるように形成される延長部の途中の屈曲部のうち、押圧側から離れた側の屈曲部が屈曲して、押圧側のみを押下げ、押圧側と反対側の突出を防ぐことができる。したがって、ボタンまわりに必要なスペースを小さくすることができる。
【００４０】
また本発明によれば、一端側と他端側との中間のボタンに突起を設け、両側の端部が同時に押下げられる誤操作を防ぐことができる。
【００４１】
また本発明によれば、ボタンと支持部材とを一体的に成型して、製造コストの低減を図ることができる。
【図面の簡単な説明】
【図１】本発明の実施の第１形態のシーソー操作用ボタン２０の概略的な構成を示す斜視図である。
【図２】図１のシーソー操作用ボタン２０を連結している状体を部分的に示す平面図である。
【図３】図１の実施形態のシーソー操作用ボタン２０を押圧操作するときの動きを示す簡略化した正面図である。
【図４】本発明の実施の第２形態としてのシーソー操作用ボタン３０を他の押ボタン４０と隣接して連結させている状態の平面図および正面図である。
【図５】本発明の実施の第３形態としてのシーソー操作用ボタン５０の概略的な形状を示す斜視図である。
【図６】図５のシーソー操作用ボタン５０の平面図である。
【図７】図５のシーソー操作用ボタン５０の押圧操作時の動きを示す簡略化した正面図である。
【図８】図５のシーソー操作用ボタン５０を射出成型で製造する際の形状を示す平面図および正面図である。
【図９】本発明の実施の第５形態として、ボタン６１の裏面側に誤動作防止突条６８を設ける状態を示す簡略化した正面断面図である。
【図１０】図９の実施形態で一方側の押下げ操作のみが有効となる状態を示す簡略化した正面断面図である。
【図１１】図１０の押下げ状態で、ストロークＤを確保することができる条件を示す図である。
【図１２】従来からの典型的なシーソーボタンの基本的な構成と、一端側を押圧したときの他端側の動きを示す簡略化した正面図である。
【図１３】従来からの押ボタン６についての、押圧時の押下げ状態を示す簡略化した正面断面図である。
【図１４】図１２に示す従来からのシーソーボタン１を前面パネル９に取付ける際に、逃げｄが必要で、かつ前面パネル９からシーソーボタン１の表面が突出する状態を示す簡略化した正面断面図である。
【図１５】先行技術のシーソーボタンの概略的な構成を示す正面断面図である。
【符号の説明】
２０，３０，５０，６０  シーソー操作用ボタン
２１，３１，４１，６１  ボタン
２２ａ，２２ｂ，３２ａ，３２ｂ，５２ａ，５２ｂ，６２ａ，６２ｂ  押圧操作部
２３ａ，２３ｂ，３３ａ，３３ｂ，５３ａ，５３ｂ  支持部材
２４，３４，５４，６４  フランジ
２７，３７，５７  連結部
２８，３８，５８  延長部
２９，３９，５９  屈曲部
５６  固定部材
６７ａ，６７ｂ  押圧突条
６８  誤動作防止突条
６９ａ，６９ｂ  スイッチ
７１  基板
７２  前面パネル
７３  窓孔
【図１】
0004220040.tif 000003
【図２】
0004220040.tif 000004
【図３】
0004220040.tif 000005
【図４】
0004220040.tif 000006
【図５】
0004220040.tif 000007
【図６】
0004220040.tif 000008
【図７】
0004220040.tif 000009
【図８】
0004220040.tif 000010
【図９】
0004220040.tif 000011
【図１０】
0004220040.tif 000012
【図１１】
0004220040.tif 000013
【図１２】
0004220040.tif 000014
【図１３】
0004220040.tif 000015
【図１４】
0004220040.tif 000016
【図１５】
0004220040.tif 000017